(57)【特許請求の範囲】
【請求項１】
モバイルデバイスであって、
前記モバイルデバイスは、情報含有証印（Information Bearing Indicia）を読み取ることができる光学的証印リーダーの機能を有するように構成され、
前記モバイルデバイスは、前記情報含有証印の読取に使用されないとき、連続的又は周期的な画像を捉えるように構成され、
前記モバイルデバイスは、車両内に位置する積荷を監視するために、前記モバイルデバイスの視野中の関心領域内の画像を捉えることができるように車両に配置されるよう構成され、
前記モバイルデバイスは、前記関心領域内の前記画像の変化を検出し、前記関心領域内の前記画像の前記変化が検出されたとき、信号を出力するように構成されている、
ことを特徴とするモバイルデバイス。
【請求項２】
前記モバイルデバイスが、前記捉えられた画像を遠隔サーバに送信するように構成されていることを特徴とする請求項１に記載のモバイルデバイス
【請求項３】
前記モバイルデバイスがカメラを含み、前記信号が、前記カメラにより捉えられる画像を記録するための開始信号であることを特徴とする請求項１に記載のモバイルデバイス。
【請求項４】
前記モバイルデバイスが、１次元又は２次元の情報含有証印を読み取るように構成されていることを特徴とする請求項１に記載のモバイルデバイス。
【請求項５】
前記モバイルデバイスが、前記車両の前記積荷が、前記車両の積載領域内で中心を外れて位置しているかを監視するように構成されていることを特徴とする請求項１に記載のモバイルデバイス。
【請求項６】
前記信号が、前記信号が、可聴な、及び／又は、視覚的な信号を含むことを特徴とする請求項１に記載のモバイルデバイス。
【請求項７】
前記モバイルデバイスが、前記車両の前記積荷が、前記車両内の初期位置から変位しているかを監視するように構成されていることを特徴とする請求項１に記載のモバイルデバイス。
【発明の詳細な説明】
【技術分野】
【０００１】
本発明はモバイルデバイスに関し、さらに具体的には、乗物のパフォーマンスを追跡するように構成されるモバイルデバイスに関する。
【背景技術】
【０００２】
データ読取デバイスは、磁気ストリップ（magストリップ）または（１次元または２次元のシンボルのような）証印を備えたカード、RFID計器、指紋のような生物測定情報などのような情報含有媒体（information bearing medium）から情報又はデータを読み取りまたは得る。
【０００３】
データリーダーは、モバイルデバイス（例えば携帯スキャナ、携帯型データ端子（PDT）、パーソナル携帯情報機器（PDA）、携帯電話、その他）であってもよい。
そのようなシステムに関する努力は、その多様性、実用性および効率を改善するための継続的な開発につながった。
【図面の簡単な説明】
【０００４】
【図１】図１は、典型的なデータリーダーシステムのブロック図である。
【図２】図２は、典型的なデータリーダーの斜視図である。
【図３】図３は、典型的なデータリーダーの簡易概略ブロック図である。
【図４】図４は、典型的なデータリーダーを備えた典型的な車両の背面図である。
【発明を実施するための形態】
【０００５】
以下、典型的な実施形態を添付図に基づいて説明する。他の実施形態はさまざまな形式あってよく、本願明細書において記載される典型的な実施形態に限定されない。可能な場合には、同じ参照番号は同じまたは類似のパーツに同じ参照番号を図面の全体にわたって使用する。本願明細書において用いられる用語「走査（"scan" または "scanning"）」は、情報含有証印（またはシンボル）からデータを読み込むかまたは抽出することを意味する。本願明細書において用いられる用語イメージングは、電子イメージの作成または取得を意味する。
【０００６】
典型的な方法は、所望の結果に至る一連のステップまたはアクションであり、ソフトウェアとして実装されることができる。そのようなソフトウェアについては、単一のプログラムで具体化されているかのように議論するのが都合が良いかもしれないが、ほとんどの実装は、記述された機能を個別のソフトウェア（およびそれほど別々ではないソフトウェア）に分散する。これらの部分は、「プログラム」、「オブジェクト」、「ファンクション」、「サブルーチン」、「ライブラリ」、「.dll」「API」、および、「プロシージャ」のような技術用語を用いてしばしば記載される。これらの用語の一つ以上が本明細書で見られるとしても、本発明で記載されている構成に限定する意図はない。
【０００７】
一般に、本方法におけるステップのシーケンスは、物理的な量の物理的な操作を必要とする。これらの量は、光学的、電気的又は磁気的な信号という形態をとり、格納され、送信され、結合され、比較され、または操作される。当業者は、これらの信号を便宜上「ビット」、「値」、「エレメント」、「シンボル」、「文字」、「イメージ」、「ターム（term）」、「数」等と称する。これらおよび類似した条件が適当な物理的な量と関係していることになっており、これらの量に適用される単に便利なラベルだけであると認識されなければならない。
【０００８】
本願明細書において記載されているソフトウェアに関して、当業者は、本願明細書において概説される方法を実行するためのソフトウェアを作成するための様々なプラットフォームおよび言語が存在すると従来技術において認識する。本発明の実施形態は、MICROSOFT VISUAL STUDIOまたはいかなる種類のCを使用して実行されることができる。しかし、当業者であれば、正確なプラットフォームおよび言語の選択は、実際のシステム構築の詳細によって決定されることがあり、あるタイプのシステムでは何が有効であるのかが別のシステムでは効率的でない可能性があることを認識している。本願明細書において記載されている方法が、コンピュータまたはDSP（デジタル・シグナル・プロセッサ）上のソフトウェアとして実行されることに限られず、また、ハードウェア・プロセッサにおいて実装されることができることはまた、理解されなければならない。例えば、方法はASICのHDL（Hardware Design Language）によって実装されることができる。
【０００９】
図1は、複数のリーダー112が、配送のような遠隔場所で利用されまたは操作される、典型的なスキャニング・システム構成を例示する。
典型的なデータリーダー112は、ハンドヘルドのように構成されるハウジング117によってサポートされる多くのサブシステムを有することができる。典型的なデータリーダー112は、オペレータに動作に関するフィードバックまたはリーダーの機能性を提供するための多くのサブシステムを有することができる。さまざまな読み取りであるか作動中のモードは、前もってプログラムされていることができるかまたはオペレータによって選択可能に作られたメニューであってよい。
【００１０】
（１次元または２次元のシンボルのような）シンボル証印、RFID計器、磁気ストリップ（magストリップ）または指紋のような生物測定情報を供えたカードのような情報含有媒体（information bearing medium）から情報を得るための１またはそれ以上のデータリーダーがハウジングに配置される。
【００１１】
典型的なデータリーダーは、キャッシュレジスター、顧客ステーションまたは従業員ステーション、またはローカル・ホスト/サーバ122のようなローカル・データ処理システム140に、チャージステーションまたはベース138を介してまたは直接的に通信（有線または無線）することができる。典型的なローカル・サーバ122またはデータリーダー112は、ネットワーク120及び／またはremote/webサーバ134と通信できる。
【００１２】
リーダーは、PDTのようなデバイスに対してインターネット・サービスを提供するための有線またはワイヤレス・ルータを有するローカル・サーバまたはコンピュータに存在しているようなローカル演算処理システム130の使用を介してインターネットと（有線または無線で）通信する。ローカル演算処理システム130は、電気導体または「導線」を用いずに距離にわたって情報の転送のために有線または無線接続を介してremote/webサーバ134とインターネットを介して通信することができる。関係する距離は、短くてもよく（テレビのリモコンのように2、3メートル）または非常に長くてもよい（ラジオ通信のための数千または何百万キロメートル）。無線通信は、無線周波数通信を含むことができる。アプリケーションは、ポイント-to-ポイント通信、ポイント-to-マルチポイント通信、放送、セルラー電話網および他の無線ネットワークを含むことができる。これは、DECT（Digital Enhanced Cordless Telecommunications）のようなコードレス電話通信；セルラ方式（例えば0G、1G、2G、3Gまたは4G）； IrDAまたはRFID（ラジオ周波識別）のような短距離ポイント・ツー・ポイント通信、ワイヤレスUSB、DSRC（Dedicated Short Range Communications）； ZigBeeのような無線センサ・ネットワーク；ブルートゥースまたはUltra-wideband（WiMedia AllianceのUWB）のような個人領域ネットワーク；無線ローカル・エリア・ネットワーク（WLAN）、WiFiまたはHIPERLANとして有名なIEEE 802.11）のようなワイヤレス・コンピュータ・ネットワーク；または、無線メトロポリタン・エリア・ネットワーク（WMAN）およびBroadband Fixed Access（BWA）（例えばLMDS、WiMAXまたはHIPERMAN）を含むことができる。
【００１３】
インターネットは、標準のインターネット・プロトコル（IP）を使用しているパケット交換によって、データを送信する相互接続するコンピュータ・ネットワークの世界的にアクセス可能なネットワークである。それは、電子メール、オンライン・チャット、ファイル転送および連結されたウェブページ、および、ワールドワイド・ウェブの他の文書のようなサービスおよび種々の情報を一緒に運ぶ政府ネットワーク、アカデミックおよび商用ネットワークを含む。ＩＰは、パケット・スイッチ・インターネットワークにわたってデータを伝達するために使用されるデータ指向プロトコルであり、データリンク層プロトコル（例えばイーサネット）においてカプセル化され、インターネットプロトコルに最適化されたネットワーク層プロトコルであってもよい。下層プロトコルとして、IPは必ずしもデータリンク層によって利用できないサービスを提供するためにコンピュータの間に伝達可能な固有のグローバルアドレス指定のサービスを提供する。
【００１４】
オペレータは、情報含有媒体（IBM、information bearing medium）、データフォーム（dataform）、テキストまたは他の収集されるデータを包含するターゲットに、ハンドヘルド証印リーダー112を向けることができ、IBMのスキャンまたはRFIDタグを読むことを起動させるために、リーダーの完全であるか部分的な動作を制御するために証印リーダーのボタンまたはトリガー115を動かすことができる。IBMまたはデータフォームは、１次元バーコード、２次元バーコード、１次元スタックバーコード、ロゴ、グリフ、カラーコードなどのような機械読取可能でもあるオリジナル機械生成シンボルであってもよい。
【００１５】
典型的なデータリーダーは携帯用であり、可動性および柔軟性を呈してワイヤレスであり、リーダーの範囲内で集められるデータが、無線リンクを介したバックボーンに配置されたホストコンピュータと通信する無線ネットワークの一部を構成する。リーダーは、リモート・コンピュータと通信するためのラジオまたはトランシーバを含むことができる。さまざまな場所で車両を運転するオペレータによって、典型的なリーダーは担持され、例えば、それはパッケージ交付サービスの一部とされる。
【００１６】
典型的なデータリーダー112は、携帯スキャナ、ポータブルデータ端末（PDT）、パーソナル携帯情報機器（PDA）、携帯電話などのモバイルデバイスであってもよい。ポータブルデータ端末すなわちPDTは、概して無線伝達（WLANまたはWWAN）を介してデータを入力または検索するのに用いられ、若しくは、遠隔場所からデータベースにアクセスし、商店、倉庫、病院においてまたはフィールドで使用されるデータリーダーとして役立つことができる電子装置である。パーソナル携帯情報機器（PDA）は、典型的には電子手帳として使用する携帯装置であって、計算、時計およびカレンダのような多くの用途を有し、インターネットにアクセスして、コンピュータゲームをし、電子メールの送受信、ラジオまたはステレオとしての用途、ビデオ録画、記録ノート、アドレス帳としての用途およびスプレッドシートとしての用途を有する。
【００１７】
PDTは、無線リンクまたは有線リンクによるような通信リンクを介したソフトウェアのように、データを照会し、受信し、送信することができる能力を備えた装置である。ホストプロセッサからPDTへのファームウェアのアップグレード（または、アップロードまたはプッシングと称する）および構成パラメータを複製することは、PDTが適当なリビジョンで作動していることを確実にし、適当な構成パラメータを有するように特定の証印を読み込むことによって実行されることができる。
【００１８】
PDTは、無線伝達（WLANまたはWWAN）を介してデータを入力し、または、検索するのに用いる電子デバイスであってよく、商店、倉庫、病院、あるいは、遠隔場所からデータベースにアクセスするフィールドで使用する証印リーダーとしても役立つことができる。
【００１９】
また、スマートフォン、ハンドヘルドデバイス、ハンドヘルド・コンピュータ、PDA、PDTなどと称する典型的なモバイルデバイスは、典型的には、タッチ入力またはミニチュアのキーパッドを備えたディスプレイスクリーンを有するポケットサイズのコンピュータとして記述されることができる。いくつかのモバイルデバイスでは、入出力はタッチスクリーン・インタフェースに結合される。エンタープライズデジタルアシスタントは、モバイルデバイスの利用可能な機能をさらに拡張する。
【００２０】
エンタープライズ・デジタル・アシスタント（EDA）は、データ収集モバイルデバイスとしてSMEで使用するために最適化されたハンドヘルド・コンピュータである。かかるデータ収集アプリケーションは、WLAN（無線ローカル・エリア・ネットワーク）、ブルートゥース、広域ネットワーク|WAN/LAN/個人領域ネットワーク|PAN音声およびデータ通信、VOIPおよびGPRSエッジ通信のような通信ネットワークで使用される証印リーダー、バイオメトリクス、磁気ストライプ、スマートカードおよびRFIDデータ収集技術を含む。
【００２１】
ある実施形態では、モバイルデバイス112は、オペレータの運転習慣をモニタするために利用されることができる。モバイルデバイスは、車両およびシステム情報またはイベント（例えばアイドル・タイム、走行距離、転覆シナリオ、速度、突然の加速/減速など）をモニタすることができ、集めることができ、記録することができる。
【００２２】
例示的なモバイルデバイス112は、安全ではない運転およびハンドリングを運転者に警告するための音声および視覚による警告および情報を提供することができる。
車両作動データはまた、リアルタイム・モニタリングのため、または、データ記憶またはロギングのためにエンタープライズホーム・データベースに、WWANを介して送られることができる。記録されたデータは、事故または他の運転シナリオを分析するために利用されることができる。
【００２３】
典型的な実施形態では、モバイルデバイスは、トレーラがはずれた場合、それによって不適当なトレーラ積載を示すかどうかを判断するために、加速度計のようなセンサを利用することによってトレーラ負荷をモニタするために用いることができる。
【００２４】
典型的な実施形態では、モバイルデバイスは、ＧＰＳナビゲーション／turn-by-turn、リアルタイム・データ通信、交付の証明のための証印スキャンなどのような他の機能のために使われることができる。
【００２５】
図２を参照すると、典型的なデータリーダー112は、ディスプレイ、トリガー115、加速度計242および例えばハウジング117にサポートされる他の典型的なサブシステムのようなデータ収集装置を有することができる。データは、コネクタ132を介してリーダーに渡されることができる。
【００２６】
図３を参照すると、典型的な証印リーダー112は、レーザー走査エンジン280またはターゲットＴの証印を読み込むレーザー読取りリーダーシステムのような多くの典型的なサブシステムから成ることができる。レーザー読取リーダーシステムは、近いターゲットＴで発振または回転鏡292によって差し向けられた近いレーザー読取りパターンを生成するために近いレーザー発生器288を制御するための近いレーザー・コントローラ284を含むことができる。近いレーザー読取パターンは、ターゲットから離れて反射されて、レーザー光パス・フィルタ296、フォトダイオード300、アンプ304およびデジタイザ308から成る受信経路に、鏡292によってリダイレクトされる。レーザー・コントローラ284はまた、遠いターゲットＴで発振または回転鏡292によって差し向けられた遠いレーザー読取パターンを生成するための遠いレーザー発生器312を制御することができる。遠いレーザー読取パターンは、ターゲットから離れて反射されて、受信経路に鏡292によってリダイレクトされる。
【００２７】
デジタイザ308は、ターゲットから離れて反射される照明のデジタル信号表示に、フォトダイオードによってアナログ信号出力を変換することができる。
典型的なレーザー・スキャナは、光源としてのレーザー光線を使用して、IBIの前後にレーザー光線を走査するために往復運動する鏡か回転プリズムを使用する。一つ以上のフォトダイオードは、バーコードから戻るように反射された光の強度を計量するために用いる。リーダーによって発光された光は、データパターンを備えた明るさに急速に変化され、フォトダイオード受信回路は、同じ調整されたパターンを有する信号だけを検出するように設計されている。
【００２８】
典型的な光センサまたは光検出器は、入射光エネルギーをIBIから反射される光の出力信号表示である電荷に変換する一つ以上のフォトダイオードから成ることができる。光検出器の出力は、下流のさらなる処理に使用するために適切に信号を調整するために、１つまたは複数の機能またはアルゴリズムを利用して処理されてもよい。
【００２９】
レーザー光は、空間的にコヒーレントであり、狭くて低い発散光ビームであると記述することができる。光検出器の出力信号は、１つまたは複数の機能またはアルゴリズムを利用して処理されて、IBIの復号を含む下流のさらなる処理での使用に適切に信号を調整することができる。レーザースキャニングリーダーシステム280は、距離D1で、および、D1より短いリーダー112からの距離である距離D2で、IBIを走査するために設定されることができる。
【００３０】
典型的なデータリーダー112は、ターゲットＴの情報含有媒体を読み込むための一つ以上の光学的イメージ・エンジン（イメージ証印リーダーシステムまたは光学的走査エンジン）414を有してもよい。光学的イメージ・エンジンは、キャプチャされたイメージ内に位置するシンボルを検出して、復号化するために捕えて、イメージを読み込む。光学的イメージ証印リーダーシステムは、照射パターンの形のインコヒーレントのパターンまたはビームを備えたIBMを照射するための一つ以上の照明源422と、IBMを備えたターゲットＴから反射された光を、その代表的な出力信号に変換するためのイメージ・センサ432を備えた受光回路とを有する。画像センサの出力信号は、IBMの復号化を含む、下流のさらなる処理に使用するために適切に信号を調整するための1つまたは複数の機能またはアルゴリズムを利用して処理されてもよい。
【００３１】
例示的な実施形態では、光学画像表示リーダーとレーザー・スキャナ証印リーダーとの両方の表示読取装置が設けられており、両読取装置の作動は、オペレータが複数のプルで単一のトリガーを作動させることによって行われる。
【００３２】
受光回路は、イメージ・センサ432上に光を焦点合わせするためのイメージング光学系を利用することができる。照明光源422は、照明光源および照明光学系から成ることができる。
【００３３】
典型的な光学イメージ証印リーダーは、オペレータが適切にターゲット上の証印をスキャンするのを助けるためにターゲット上に狙いをつけたパターンを送信するために照準パターン・ジェネレータ424を有することができる。照準パターン・ジェネレータは、照準生成プログラム光源、照準開口および照準光学系から成ることができる。
【００３４】
典型的なイメージ・センサは、ターゲットから反射される光または他の電磁気のエネルギーを変換し、その出力信号表示を提供する。イメージ・センサは、カラーまたはモノクロ2D CCD、CMOS、NMOS、ＰＭＯＳ、CID、CMD、バック反射のような固体イメージ・センサのようなフルフレームオペレーティングモードまたはグローバルシャッターで作動するように適用されたピクセルのアレイであってもよい。イメージ・センサは、入射光エネルギーを電荷に変換する光感度が高いフォトダイオード（またはピクセル）のアレイを含むことができる。固体イメージ・センサによって、画像データのフルフレームの領域が対象にされることができる。
【００３５】
照明および照準光源は、ターゲットに所望の照射パターンを提供するいかなる光源から成ってもよく、一つ以上のＬＥＤであってもよい。異なる色を有する照明および照準光源を利用することができる。例えば、かかる実施形態では、画像入力装置は、白色および赤色ＬＥＤ、赤色および緑色ＬＥＤ、白色、赤色および緑色ＬＥＤ、または、例えば、最も一般的にはシンボルの色に応答して選択されるＬＥＤまたは他のいくつかの組合せが画像入力装置によって最も一般的にイメージできる色に応答する他の組み合わせを含むことができる。異なる色のＬＥＤは、全体的なパワー供給に従ったレベルで交互にパルスされる。
【００３６】
ハウジングで支えられる他の典型的なリーダーサブシステムまたはコンポーネントは、一つ以上のローカルまたはオンボードプロセッサ170、ローカルメモリ172、電池218、ディスプレイ116、キーパッド214および無線通信モジュール180を含むことができる。サブシステムは、一つ以上のバス168、データ・ラインまたは他の信号またはデータ通信形式を介して通信することができる。証印リーダーは、一つ以上のローカルプロセッサ118、ローカル・ホスト/サーバ122、ローカルメモリ166、ネットワーク120またはリモートなサーバ・ホスト/サーバ134と通信することができる。
【００３７】
他の典型的なリーダーサブシステムまたはコンポーネントは、一つ以上のデータ収集装置（例えば加速度計154、GPSモジュール158、スピーカ160、警報を出すＬＥＤ161、車両システム・アナライザ520および温度センサ162）であってもよい。ある具体例では、これらのデータ収集装置は、車両の性能に関してデータを集めるために利用されることができる。
【００３８】
通信モジュール180は、他の証印リーダーにまたは他のシステム（例えばserver/remoteプロセッサ134）にイメージングリーダー112から通信リンクを提供することができる。
プロセッサは、オンボードまたは他のサブシステムを収納する範囲内に位置することができる。プロセッサおよびリーダーの機能性の詳細は、ファームウェア、リモートまたはローカル・メモリに保存されることができる特定の構成設定またはデータに基づいてまたはそれらによって決定されることができる。
【００３９】
典型的なプロセッサは、多数の従来のMCUベースのシステム・コンポーネントを１つのシングルチップ・プログラム可能デバイスと置換するように設計されているオンチップ・コントローラデバイスを有する混合信号アレイであってもよい。それは、プログラム可能な相互接続と同様に、アナログ及びデジタルロジックの可変なブロックを含むことができる。
【００４０】
リーダーのリーダーサブシステムは、一つ以上のバス168、データ・ラインまたは他の信号またはデータ通信形式によって接続されることができる。典型的なフォームは、2つの導線インタフェース（TWI）、専用のデータバス、RS232インタフェース、USBなどのような内部-ICバスであってもよい。
【００４１】
プロセッサは、ファームウェアおよびデータを格納するために予め定められた量のメモリを含むことができる。ファームウェアは、ソフトウェア・プログラムまたは必要な指示をプロセッサが他のハードウェアを作動して、通信する方法に提供するプロセッサを埋め込むかまたはプログラムされる指示の一組であってもよい。ファームウェアは、バイナリの画像ファイルとしてのプロセッサのフラッシュメモリ（ROM）に格納されることができ、消去されることができ、書き直される。同じままだった時から、更新されない限り、ファームウェアは「半永久的である」とみなされることができる。このファームウェア・アップデートまたはロードは、デバイス・ドライバによって取り扱われることができる。
【００４２】
プロセッサは、ファームウェアまたはメモリ（RAM、ROM、EEPROMなどの多数のメモリタイプのうちの任意の１つであってもよい）に格納された特定の構成設定によって、またはそれに基づいてその詳細を決定することができるいくつかの関連ステップの実行を含む、多数の機能動作を実行するために利用することができる。加えて、いくつかのメモリ機能は、プロセッサの一部として提供されるメモリに格納されることができる。
【００４３】
プロセッサの典型的な機能は、走査エンジン、復号化機能およびオペレータインターフェース機能の動作がを制御することである。オペレーティングソフトウェアは、表面上同時にまたはマルチタスクロールでかかる機能のためのプロセッサを作動するのに利用されることができる。ソフトウェア・アーキテクチャを作動している典型的な画像入力装置は、実行のプロセスまたはスレッドに組み入れられることができる。
【００４４】
プロセッサ、メモリおよび典型的な走査および復号化機能を実行するかまたは制御する関連する回路は、走査エンジンまたはリーダーのハウジングの中で位置する関連する回路基板に提供されることができる。復号化とは、光センサ出力信号に含まれる機械読取可能コードの解釈を記載するのに用いる用語である。
【００４５】
プロセッサの典型的な機能は、ターゲットまたは捕捉されたイメージ内で提供される機械読取可能なシンボルを復号化することであってもよい。１次元のシンボルは、非常に大きなものから非常に小さいもの、Code 128、Interleaved 2 of 5、Codabar、Code 93、Code 11、Code 39、UPC、EAN、MSIまたは他の１次元シンボルを含む。スタックされた１次元シンボルは、PDF、Code 16K、Code 49またはスタックされた１次元シンボルを含むことができる。２次元シンボルは、Aztec、Datamatrix、Maxicode、QR-コードまたは他の２次元シンボルを含むことができる。
【００４６】
スキャン・ルーチンとの選択可能な関係をユーザか工場において実行されることができる復号化の動作は、パラメータまたは構成設定によって決定されることができる。スキャニングおよび復号化パラメータの組み合わせは、リーダーが使用するスキャン復号化関係またはモードを一緒に画定する。２つの典型的なモードは、連続的でもよく不連続でもよい。連続モード（連続スキャン・モード、連続ストリーミングモード、ストリーミングモード、フライ・バイ（fly-by）スキャン・モード、フライ・スキャン・モードまたはプレゼンテーション・モードとも称する）では、リーダーは、静止態様で保持され、ターゲット（例えばパッケージに置かれるシンボル）は、リーダーによってパスされる。連続モードでは、リーダーは（連続して）次々と連続走査して、連続的に復号化するか、若しくは、いくつかまたは全てのスキャンしたターゲットを復号化することを試みる。不連続なモードは、スキャンおよび／または復号化すること、トリガー115を引くこと、タイムアウト、または、再開するために続いて読み込まれるような作動イベントによって止められ、または、中断され、始められるモードである。不連続なモードのリーダーの典型的な利用は、ハンドヘルドオペレーションを介してなされる。復号化が一旦止まったならば、証印リーダーはもはやトリガーされない。オペレータが、シンボルがあるということを知っているので、典型的には、不連続なモードは始められる。
【００４７】
典型的な証印リーダーは、特定のリーダー設定またはリーダー構成設定を格納するためにメモリまたはファームウェアを使用することができる。典型的な構成設定は、スキャニング距離の選択、トリガーファンクション、スキャン入力に基づいた所定のバーコード出力データ、連続スキャニングモード、不連続スキャニングモード又はルーチン、複合化モード又はルーチン、I/O構成、シンボル可能化、出力インターフェースファンクション、最小／最大シンボル特徴長さ、スキャンエンジン選択、照明ファンクション、コードを処理することができるプロセッサの機能的オペレーションに影響を及ぼす設定、照準オペレーション、エンジンオリエンテーション、照明、光検出器機能性、ソフトウェア制御、販売追跡または保証追跡、リーダー能力などである。
【００４８】
リーダーおよびホストシステムは、各々の間の構成設定またはファームウェアのようなデータを自動的に照会し、伝達する能力を備え得る。ホストからリーダーへのファームウェアをアップグレードして、構成設定を複製することは、リーダーが同じリビジョンで作動し、同じ構成設定を有することを確実にし、ユーザの欲求不満、ダウンタイム、データ完全性を低下させ、効率を増加させ、人間の介入なしで、実行されることができる。
【００４９】
予め定められた時間間隔で、ホストシステムはさまざまな情報（例えばファームウェア改訂、構成設定その他）を放送することができる。次いで、ホストは、より新規なファイルをダウンロードすることができ、不活性時間の間にリーダーを更新することができる。リーダーは、特定の構成設定を格納するためにオンボードでメモリまたはファームウェア・フラッシュメモリを使用することができる。
【００５０】
リーダーは、バーコードまたはシリアルコマンドを使用したシリアル接続によって構成されることができる。GUIインタフェースは、連続命令、例えばビジュアルメニュー（Visual Menu）またはかかる製品の類似物を作成するかまたは読み込むのに利用されることができる。これは直接またはネットワーク（例えばインターネット）を介して、光学リーダーをリモート・コンピュータに接続することによってローカルまたはリモートでされることができ、リモート・コンピュータはソフトウェア・アップグレードを提供する。
【００５１】
ソフトウェア・アップグレードは、１つのリーダーから新しいまたは他のリーダー（異なる製造業者でも可）まで、マイグレーションのために必要である。交換されたリーダーの構成が、マッチするか、または、それが交換した器材の構成にマッチする場合、アップグレードは単純化されることができる。
【００５２】
リーダーソフトウェアが置換される場合、リーダーによって自動的にメモリの構成設定情報を読み出す能力を有することができ、ソフトウェアが制御または復号化する異なる方法などの異なる方法を適応させて、使用することができ得る。
【００５３】
アップグレードのための例示的な実施形態は、ＰＣベースのソフトウェアツールを提供して、シリアル通信を介してターゲットリーダデバイス（置き換えられるもの）から非デフォルト構成設定を読み出した後、同じまたは同等の設定を置換機器にフラッシュする。これは、（旧）デバイスＡのコンフィギュレーション設定を読み取り、それらを（新）デバイスＢにフラッシュさせるダイレクトコンフィギュレーションマッピング方法（direct configuration mapping method）である。
【００５４】
典型的な他の実施形態は、置換リーダーからのターゲットリーダー（置き換えられるもの）から、周知の情報含有証印の出力された走査されたデータを分析して、それを出力と比較するベースのソフトウェア・ツールがスキャンしたＰＣにデータを提供することであってもよい。ソフトウェア・ツールは、既存のデバイスが走査されたデータの２つの集合の違いに基づいて構成される方法を解釈することができる。置換リーダーの構成設定の補間の後、ソフトウェア・ツールは旧または置換リーダーにマッチするように置換リーダーを構成する。これは、ソフトウェア・ツールが、メモリまたはファームウェアから直接読み出されるのではなくむしろ、その動作から既存の装置の内部設定を補完する間接的なマッピングと考えられる。
【００５５】
例示的な実施形態は、ビジュアルメニューのようなクロスブラウザのクライアント側DHTMLメニュービルダーと統合することができる。リーダーの構成は、一度読み出された後、無線またはネット・オーバー・コンフィギュレーション・ユーティリティ、ハード・コピーまたはビデオ・ディスプレイ・メニューまたは他の適切な手段を使用して何度も伝播される。
【００５６】
ユーザは、遠隔更新システムを利用して、１つまたは複数の格納された構成設定または構成設定データを更新または置換することができ、直接またはネットワーク（インターネットなど）を介して遠隔プロセッサに接続することによって行うことができる。適切なソフトウェアについては、リモートプロセッサは、リーダー（例えばソフトウェア構成）から、特定の構成設定を読み込むようにプログラムされることができる。最新版または新規なソフトウェアをダウンロードするとき、リモートプロセッサはデータ設定構成を読み込み、そのデータを利用することができる。オペレータは、リモートプロセッサから、ソフトウェアアップデートをリクエストすることができる。リクエストは、いずれのコンピュータにもよって受け取られ、それは光学式リーダー上の現在のソフトウェア構成レジデントを読み込むことができ、適当なアップデートまたは置換ソフトウェアを決定することができる。
【００５７】
例示的な実施形態では、企業の運送、配達、宅配便、経路計算などは、道路上の安全を確保し、車両性能を維持するために、車両の運転習慣などの車両特性を監視する必要性を利用し、法的（運転）違反などを軽減する。
【００５８】
典型的なモバイルデバイスは、車両およびシステム情報（例えばアイドル・タイム、移動距離、転覆シナリオ、速度、突然の加速/減速など）をモニタすることができ、集めることができ、記録することができる統合したセンサおよびレシーバ技術（例えば加速度計、GPSレシーバ、車両システム・アナライザ、その他）をサポートすることができる。センサ／レシーバ技術は、モバイルデバイスに組み込まれることができ、モニタして、車両イベントを記録（時刻／日付印）するためのソフトウェア・パッケージを開発することができる。
【００５９】
加速度計は適切な加速度を測定し、自由落下に対して発生する加速度であり、物体によって感じられる加速度であり、そのような加速度は、重力の観点から測定することができる。時空のどの時点でも、等価原理は局所慣性フレーム（local inertial frame）の存在を保証し、加速度計はそのフレームに対する加速度を測定する。
【００６０】
典型的な車両システム・アナライザは、車両バッテリ、充電、スタッフの配属、乾燥した燃料系、点火システム、エンジンコンディション、タイヤ空気圧、速度などの事柄をモニタするのに用いられる。ある具体例では、モバイルデバイスは、車両に存在している車両システム・アナライザに接続することができる。
【００６１】
例示的な実施形態では、車両のデータを使用して、可聴および視覚フィードバックを利用してドライバーに警告し、安全な取り扱い慣行を維持するように通知することによって、交通違反および国土交通省の運転違反を予防するのに用いられてもよい。
【００６２】
例示的な実施形態では、車両は、エラー、故障、問題、動作状況に遭遇するか、そうでなければ適切に機能しないか、またはオペレータまたは企業が期待または望むように動作する可能性がある。これらの状況やその他の状況やエラー状態については、オペレータまたは企業は問題の原因を知らない。モバイルデバイスは、プログラマブル電気オーディオ信号によって駆動されるオーディオスピーカを備えてもよく、モバイルデバイスは、メモリ内にオーディオメッセージを格納する。プロセッサは、車両の性能が問題となるときを診断または認識し、性能の原因を決定し、オペレータに車両の性能に関するオーディオ音声合成情報を提供するためにスピーカにブロードキャストされる異なる音声メッセージをスピーカに送信する。例示的な実施形態では、モバイル装置は、自動車の性能に関する情報をオペレータに提供する1つまたは複数のＬＥＤのような視覚的インジケータを備えている。
【００６３】
ある具体例では、データはワイヤレスでリアルタイム・モニタリングまたはデータ記憶のための企業のデータベースに送信されることができる。記録されたデータは、事故シナリオにおいて利用されることができる。
【００６４】
例示的な実施形態では、モバイル装置は、トレーラがオフアクシス（off axis）であるかどうかを決定するためにセンサを使用することによってトレーラの負荷を監視するために使用されてもよい。
【００６５】
典型的な実施形態では、モバイルデバイスは、GPSナビゲーション、ターン・バイ・ターン（turn-by-turn）指示、リアルタイム・データ通信、配達証明のためのバーコード復号化に利用されることができる。
【００６６】
典型的な実施形態のモバイルデバイスは、車両のセキュリティを提供するためにCCTV（閉回路テレビジョン）アプリケーションのために使われることができる光学証印リーダーを有する。証印を走査するために使用されないときに、光学証印リーダーは働いていないかアイドリングのままにされることができる。光学証印リーダーが使用中にIBIを読まないとき、それは自動的に連続であるか周期的なイメージを捕えるように構成されることができる。キャプチャされたイメージは、それからセキュリティ目的のために利用されることができる。例えば、光学証印リーダーは、リーダーのイメージャの視野（ＦＯＶ）内の車両の内側または車両の前方の領域のような関心領域が指向されるように指されてもよい。これを容易にするために、リーダーはクレイドル、ベースまたはスタンドにおいて配置されることができる。
【００６７】
例示的な実施形態では、リーダーは、アーカイブされ、処理されるために、キャプチャされた画像をエンタープライズサーバに送信するように構成されてもよい。典型的な実施形態では、イメージはアーカイブされるかまたはメモリにおいてまたは記録媒体（例えばデジタル・ビデオレコーダ（DVR））に格納される。典型的な実施形態では、リーダーはアーカイブされるために直接キャプチャされたイメージをローカル・ホスト・サーバまたはプロセッサに送信するように構成されることができる。
【００６８】
ある具体例では、キャプチャされたイメージは、アーカイブされることができ、および／または、リーダーにおいて処理されることができる。キャプチャされたイメージの処理は、焦点合わせされた遠隔カメラを有するビデオ監視システムおよび／または記録をトリガすることから成ることができる。
【００６９】
ある具体例では、リーダーはビデオ監視システム（VSS）に信号を送るかまたは警報を出すために利用されることができ、リーダーがイメージした関心の領域の監視ビデオまたはイメージを記録し始めることができる。VSSはまた、リーダーによって捕えられるイメージを格納し始めることができる。
【００７０】
例示的な実施形態では、リーダーは、捕捉された画像を処理して、オブジェクトの動きなどの関心領域におけるイベントまたは変化を検出する。イベントは、車両の突然の加速／減速であってもよい。検出される変化がある場合、リーダーは近いまたは最も重要な領域の一つ以上の防犯カメラ信号を送るのに利用することができる。例えば、ビデオ監視サーバは、予め定められた活動または場面変化が検出される領域上の焦点を検出することができる。ビデオ監視サーバは、一つ以上のPTZカメラおよび／または固定カメラを特定のイベントに基づいてビデオを録画するために制御することができる。例示的な実施形態では、PTZカメラは、予め設定されたツアーに従って動作していてもよく、証印リーダーは、それらを作動させる警告機構として使用されてもよい。
【００７１】
例示的な実施形態では、証印リーダーは、その視野内の画像をキャプチャし、定期的にビデオサーベイランスサーバに送信する。サーバは、これらの画像を処理し、PTZカメラにそれぞれのリーダーの視野に焦点を合わせ、記録を開始するよう警告する。
【００７２】
ある具体例では、イベントまたは重要な領域の変化が検出されるとき、位置情報はリーダーから遠隔サーバまで送信される。
典型的な実施形態では、証印リーダーは、ビデオ分析をサポートすることができ、イメージの処理を実行することができる。証印リーダーは、イメージを格納するのに十分なメモリを有することができる。
【００７３】
例示的な証印リーダーは、周囲の照明条件のような検出する条件に基づいて、露出、虹彩、フォーカスまたは他の設定などの防犯カメラパラメータを調整することができる。
典型的な証印リーダーは、独立型警報を出す装置として使われることができる。 
例えば、証印リーダーは、検出されたセキュリティイベントの後に関心領域の画像を捕捉して記憶し、その証印リーダーから発する可聴信号または視覚信号を警報または通知することができる。セキュリティイベントは、関心領域内の動きまたは運動、関心領域内の物体の変位、車両の異常な動き、突然の加減速などとすることができる。
【００７４】
図４は、乗物のパフォーマンス特徴（例えば中心から離れたパッケージ積載）を追跡するために利用されるデータ収集装置518を有する典型的なモバイルデバイス514を有する典型的な配送トラック510を例示する。ある具体例では、モバイルデバイスに与えるために車両に取り付けられるベース522において、データリーダーが配置され得る。
【００７５】
プログラム、方法、方法および本願明細書において記載されている装置は、コンピュータまたはネットワーク装置（ハードウェアまたはソフトウェア）のいかなる特定のタイプにも限定されないと理解されなければならない。汎用の又は特注のさまざまなタイプのコンピュータ装置は、本願明細書において記載されている教示に従って動作を実行する。好ましい実施形態のさまざまなエレメントが、ソフトウェアでインプリメントされると評されると共に、他の実施形態では、ハードウェアまたはファームウェアで実装されてもよい。例示の実施形態は、例示的で、本発明の範囲を制限すると解されてはならない。例えば、工程系統図のステップは記載されているそれら以外のシーケンスを取り入れてもよく、より少しまたは他の要素がブロック図において使われることができる。また、出願人がこの出願内の主題を明示的に否認していない限り、特定の実施形態または主題は、本明細書では否定されない。
【図１】
0006412544.tif 000002
【図２】
0006412544.tif 000003
【図３】
0006412544.tif 000004
【図４】
0006412544.tif 000005